(57)【特許請求の範囲】
【請求項１】
スピーカを搭載したスピーカユニットと、
前記スピーカが接続されるスピーカ出力端子を備えた機器本体部と、
前記機器本体部と前記スピーカユニットとの間に隙間を設けた状態で互いを着脱可能に装着する装着機構と、
を具備し、
前記装着機構は、前記スピーカと前記スピーカ出力端子とをつなぐ配線を内部に挿通させる、ことを特徴とする電子機器。
【請求項２】
スピーカを搭載したスピーカユニットと、
前記スピーカが接続されるスピーカ出力端子を備えた機器本体部と、
前記機器本体部と前記スピーカユニットとの間に隙間を設けた状態で互いを着脱可能に装着する装着機構と、
を具備し、
前記装着機構は、前記機器本体部と前記スピーカユニットとの間に跨って取り付けられる連結部材を備え、
また、前記機器本体部は、外部スピーカ接続用の外部スピーカ出力端子を備え、
さらに、前記連結部材は、少なくとも前記外部スピーカ出力端子を覆う位置に取り付けられる、
ことを特徴とする電子機器。
【請求項３】
前記装着機構は、
前記機器本体部と前記スピーカユニットとの間に跨って取り付けられる連結部材と、
前記スピーカと前記スピーカ出力端子とをつなぐ配線を内部に挿通させるとともに、前記連結部材による連結力を補強する補強部材と、
を含むことを特徴とする請求項１記載の電子機器。
【請求項４】
前記連結部材は、透明な材質を含んでいることを特徴とする請求項２又は３記載の電子機器。
【請求項５】
前記装着機構は、前記機器本体部に吊り下がる状態で前記スピーカユニットを装着させることを特徴とする請求項１ないし４のいずれか１項に記載の電子機器。
【発明の詳細な説明】
【技術分野】
【０００１】
本発明は、音声を出力する機能を備えた電子機器に関する。
【背景技術】
【０００２】
モニタ本体にスピーカボックスを取り付けて使用する形態とモニタ本体からスピーカボックスを取り外して使用する形態との双方を実現可能な構造を有することで、使用形態の多様化を図ったパネル型表示装置が知られている（例えば特許文献１参照）。
【０００３】
具体的には、このパネル型表示装置は、モニタ本体の外周部分の両サイドに一組のスピーカボックスを着脱自在に装着するための機構を備えている。
【先行技術文献】
【特許文献】
【０００４】
【特許文献１】特開２００４−３６３９５２号公報
【発明の概要】
【発明が解決しようとする課題】
【０００５】
しかしながら、上述したパネル型表示装置は、モニタ本体の両サイド全体にわたって密着した状態で各スピーカボックスが装着される構造になっている。このため、スピーカボックスから音声出力時に生じる振動が、モニタ本体側へ伝達されやすい構成となる。したがって、このようなパネル型表示装置は、スピーカボックス及びモニタ本体を含む構造体に共振などが起こりやすく、これに起因する振動の増大や、振動の増大に伴うビビリ音などの騒音の発生が懸念される。
【０００６】
本発明は、上記課題を解決するためになされたものであり、振動や騒音の発生を抑制できる電子機器の提供を目的とする。
【課題を解決するための手段】
【０００７】
上記目的を達成するために、本発明の一態様に係る電子機器は、スピーカを搭載したスピーカユニットと、前記スピーカが接続されるスピーカ出力端子を備えた機器本体部と、前記機器本体部と前記スピーカユニットとの間に隙間を設けた状態で互いを着脱可能に装着する装着機構と、を具備し、前記装着機構は、前記スピーカと前記スピーカ出力端子とをつなぐ配線を内部に挿通させる、ことを特徴とする。
【発明の効果】
【０００８】
本発明によれば、振動や騒音の発生を抑制することの可能な電子機器を提供することができる。
【図面の簡単な説明】
【０００９】
【図１】本発明の一実施形態であるテレビジョン装置を正面側からみた外観図。
【図２】図１のテレビジョン装置からスピーカボックスを取り外した状態を示す図。
【図３】図１のテレビジョン装置を背面側からみた外観図。
【図４】図３のテレビジョン装置からスピーカボックスを取り外した状態を示す図。
【図５】図１のスピーカボックス及びスピーカボックス装着機構を正面側からみた図。
【図６】図５のスピーカボックス及びスピーカボックス装着機構を背面側からみた図。
【発明を実施するための形態】
【００１０】
以下、本発明を実施するための形態を図面に基づき説明する。
図１〜図４に示すように、本発明の電子機器を実施した形態であるテレビジョン装置１は、機器本体部としてのテレビ本体部３と、スタンド２と、スピーカユニットであるスピーカボックス５と、スピーカボックス装着機構８と、を主に備えている。
【００１１】
テレビ本体部３は、ＳＴＢ（Set top box）として構成されており、アンテナ（図示せず）から入力される放送局などからの放送信号をデコードして映像信号及び音声信号を生成する。テレビ本体部３は、生成した映像信号及び音声信号、あるいは外部の記憶再生装置などから入力される映像信号及び音声信号を、表示部３ｒ及びスピーカボックス５へそれぞれ入力する。
【００１２】
テレビ本体部３の側面には、図３、図４に示すように、ＨＤＭI（High-definition multimedia interface）などを始めとする複数の種類のインタフエース３ｔが設けられている。テレビ本体部３は、このインタフエース３ｔを介して、上述した外部の記憶再生装置などから映像信号、音声信号を入力する。表示部３ｒは、例えば５５インチの比較的大きなサイズの液晶デバイスなどで構成されており、テレビ本体部３自体で生成した映像信号、又は上記インタフエース３ｔを介して入力した映像信号に基づいて映像を表示する。
【００１３】
また、テレビ本体部３は、図４に示すように、スピーカボックス５との接続用のスピーカ出力端子３ｃ、３ｄと、外部スピーカ接続用の外部スピーカ出力端子３ｇ、３ｈと、を備えている。なお、スタンド２は、支柱２ａを備えており、この支柱２ａを介してテレビ本体部３を底部側から支持する。
【００１４】
スピーカボックス５は、テレビ本体部３側から入力される音声信号に基づいて音声を出力する。スピーカボックス５は、図１、図３に示すように、テレビ本体部３の幅方向に沿って棒状に延びた形状を有し、このテレビ本体部３とほぼ等幅に形成されている。このようなスピーカボックス５は、例えば、７つのスピーカを搭載しており、全体として箱型になるように一体的に形成されている。
【００１５】
具体的には、スピーカボックス５は、ステレオ音声再生用の左右２つずつのウーハと左右１つずつのツィータとを備えている。また、スピーカボックス５の中央部には、３つめのツィータが設けられている。各ツィータは音声信号の高音域を、各ウーハは低音域を、それぞれ受け持つように構成されている。
【００１６】
また、スピーカボックス５は、図３に示すように、搭載している各スピーカに音声信号を入力するためのスピーカ入力端子５ｃ、５ｄを備えている。ここで、本実施形態のテレビジョン装置１は、図１、図３に示すように、テレビ本体部３にスピーカボックス５を装着して使用する第１使用形態と、一方、図２、図４に示すように、テレビ本体部３からスピーカボックス５を取り外し、さらに外部スピーカを外部スピーカ出力端子３ｇ、３ｈに接続して使用する第２使用形態と、が用意されている。
【００１７】
すなわち、図３に示すように、スピーカボックス５を装着して使用する第１使用形態では、このスピーカ入力端子５ｃ、５ｄと、上述したテレビ本体部３側のスピーカ出力端子３ｃ、３ｄとが、両端部にコネクタが取り付けられた配線５ａ、５ｂを介して互いに電気的に接続される。
【００１８】
また、ここで、本実施形態のテレビジョン装置１は、上記第１使用形態において、スピーカボックス５上の各ツィータ、各ウーハから高音域、低音域を好適にバランスさせた音声出力が得られるように音声の出力系が設計されている。このため、テレビジョン装置１は、第１使用形態と第２使用形態とを混在させた使用形態、つまり、スピーカボックス５が既に接続された状態で、誤って外部スピーカが同時に接続されてしまうことを物理的に阻止する構造を有している。この構造については後述する。
【００１９】
次に、本実施形態のテレビジョン装置１が備えるスピーカボックス装着機構８について詳述する。すなわち、スピーカボックス装着機構８は、図１〜図４に示すように、テレビ本体部３に対して、隙間１５を空けた状態（離間した状態）で、スピーカボックス５を着脱（分離）可能に装着させる。
【００２０】
具体的には、スピーカボックス装着機構８は、図１、図３に示すように、テレビ本体部３の底部側に吊り下がる状態でスピーカボックス５を装着させるものであり、補強部材である金属ステー１１、１２と連結部材７とを主に備えている。
【００２１】
連結部材７は、透明な材質を含んで構成されている。本実施形態では、連結部材７は、全体が例えばアクリル製の板材で構成されている。このような連結部材７は、ほぼＵ字状に形成されており、テレビ本体部３とスピーカボックス５との間に跨って取り付けられる。詳述すると、テレビ本体部３の背面には、図４に示すように、ねじ穴３ａ、３ｂ、３ｅ、３ｆが設けられている。一方、連結部材７には、図５、図６に示すように、これらのねじ穴に対応するねじ挿通穴７ａ、７ｂ、７ｅ、７ｆが穿孔されている。さらに、これらのねじ穴にねじ挿通穴を位置合わせしながら、図３に示すように、ねじ９ａ、９ｂ、９ｅ、９ｆを通じて連結部材７は、テレビ本体部３の背面の下側にねじ止めされる。
【００２２】
一方、スピーカボックス５の背面にも、複数のねじ穴が設けられており、またこれらのねじ穴に対応するねじ挿通穴が連結部材７にも穿孔されている。スピーカボックス５上のねじ穴に連結部材７上のねじ挿通穴を位置合わせしながら、図３、図６に示すように、ねじ９ｃ、９ｄ、９ｇ、９ｈ及びさらに複数のねじ９ｅを通じて連結部材７は、棒状のスピーカボックス５の背面のほぼ中央部分にねじ止めされる。
【００２３】
これにより、図１、図３に示すように、連結部材７を介してテレビ本体部３に吊り下がる状態でスピーカボックス５が装着される。ここで、連結部材７が透明な材質で構成されていることで、テレビ本体部３上及びスピーカボックス５上のねじ穴と、連結部材７上のねじ挿通穴と、の位置合わせが容易となり、これにより、連結部材７の取付時において作業性の向上を図ることができる。
【００２４】
また、テレビジョン装置１は、透明な材質の連結部材７を介しテレビ本体部３にスピーカボックス５が吊り下がる状態で装着されていることで、スピーカボックス５が空中に浮いているような美的感覚の得られるデザインとなる。ここで、上記の透明とは、無色透明及び有色透明のいずれをも含む。なお、スピーカボックス５が空中に浮いているような美的感覚を得るといった観点から、連結部材７は無色透明であるほうが好ましい。
【００２５】
また、連結部材７上には、図３に示すように、矩形状の貫通穴７ｋ、７ｍが設けられている。貫通穴７ｋ、７ｍは、連結部材７を取り付けた状態では、図３に示すようにスピーカボックス５のスピーカ入力端子５ｃ、５ｄをテレビジョン装置１の背面側に露出させる位置に配置されている。これに対して、スピーカボックス５及びテレビ本体部３上にねじ止めされる当該連結部材７は、図３に示すように、テレビ本体部３上の外部スピーカ出力端子３ｇ、３ｈを覆う位置に取り付けられる（なお、連結部材７は透明な部材であるが、図３では、外部スピーカ出力端子３ｇ、３ｈの透過した形状の図示を省略している）。
【００２６】
このような連結部材７の取り付け構造により、スピーカボックス５が既に接続された状態で、誤って外部スピーカが同時に接続されてしまうことを物理的に阻止することができる。これにより、テレビジョン装置１では、スピーカボックス５を接続した図１に示す第１使用形態において、スピーカボックス５上の各ツィータ、各ウーハから高音域、低音域を適切にバランスさせた音声出力を得ることができる。
【００２７】
一方、金属ステー１１、１２は、図３に示すように、スピーカボックス５が搭載する各スピーカ、すなわちスピーカボックス５上のスピーカ入力端子５ｃ、５ｄと、テレビ本体部３上のスピーカ出力端子３ｃ、３ｄと、をつなぐ配線５ａ、５ｂを内部に挿通させる。また、金属ステー１１、１２は、鉄鋼又はステンレス鋼などを材料として構成されており、図３に示すように、金属ステー１１、１２によるテレビ本体部３とスピーカボックス５との連結力を補強する。これらの金属ステー１１、１２は、図３に示すように、連結部材７の両サイドの縁部をテレビ本体部３との間に挟み込むようにして取り付けられる。
【００２８】
具体的には、個々の金属ステー１１、１２は、内部が中空の比較的細い管状の部材として構成されており、その径方向に沿ってツーピースに分割可能なセパレート構造を有する。また、金属ステー１１、１２は、図３に示すように、それぞれ、配線引出穴１１ａ、１１ｂ、１２ａ、１２ｂが設けられている。配線引出穴１１ａ、１２ａは、金属ステー１１、１２の取り付け後、テレビ本体部３上のスピーカ出力端子３ｃ、３ｄの近傍に配置される。配線引出穴１１ｂ、１２ｂは、金属ステー１１、１２の取り付け後、スピーカ入力端子５ｃ、５ｄの近傍に配置される。
【００２９】
セパレート構造の管状の各金属ステー１１、１２を各々縦に分割した一方のステー片（連結部材７との接触側）は、図５に示すフック部１２ｍ、１１ｋが、連結部材７上の穴部を介し、図４に示すテレビ本体部３上の係合穴３ｋ、３ｍに仮止めされる。この仮止めされた状態で、金属ステー１１、１２を分割した一方の各ステー片は、図４に示すテレビ本体部３上のねじ穴３ｎ、３ｓを通じてねじ止めされている。
【００３０】
この後、分割した状態の金属ステー１１、１２の配線引出穴１１ａ、１１ｂ、１２ａ、１２ｂから、配線５ａ、５ｂの一端部、他端部を引き出しつつ、配線５ａ、５ｂの各端部のコネクタが、スピーカ入力端子５ｃ、５ｄと、スピーカ出力端子３ｃ、３ｄと、にそれぞれ装着される。さらにこの後、各金属ステー１１、１２を分割した他方のステー片（連結部材７との非接触側）が、図３、図６に示すように、上記一方のステー片に装着されて一体化される。
【００３１】
このような構造の金属ステー１１、１２は、連結部材７の連結力を補強できることに加え、スピーカボックス５の接続用の配線５ａ、５ｂの両端部を除く中間部分（特に連結部材７から透過する部位）を内部に収容することができる。これにより、テレビ本体部３とスピーカボックス５との間を綺麗に（体裁よく）配線できるとともに、スピーカボックス装着機構８全体の機械的強度を高めることができる。
【００３２】
また、このように構成された本実施形態に係るテレビジョン装置１では、図１、図３に示すように、テレビ本体部３に対して隙間１５を空けた状態でスピーカボックス５が装着されるので、スピーカボックス５から音声出力時に生じる振動が、テレビ本体部３側に伝わりにくくなる。これにより、スピーカボックス５及びテレビ本体部３を含む構造体全体に共振などが起こりにくくなり、これに起因する振動の増大や、振動の増大に伴うビビリ音などの騒音の発生を抑制することができる。
【００３３】
また、テレビジョン装置１では、テレビ本体部３に吊り下がる状態でスピーカボックス５が装着されるので、スピーカボックス５側で生じる振動のさらなる絶縁効果を期待できる。また、本実施形態のテレビジョン装置１では、スピーカボックス５が浮いた状態に見え、これによりスピーカボックス５の位置をユーザが容易に把握できるので、スピーカボックス５とユーザとの間に障害物などが置かれ、音響効果が損なわれることなどを回避することができる。
【００３４】
以上、本発明を実施の形態により具体的に説明したが、本発明はこの実施形態にのみ限定されるものではなく、その要旨を逸脱しない範囲で種々変更可能である。例えば音声、映像のコンテンツの記憶保持用としてＨＤＤ（ハードディスクドライブ）をテレビ本体部３側（機器本体部側）に搭載したテレビジョン装置（電子機器）を構成してもよい。この場合、本発明に係る振動伝達の抑制効果が、構造的に振動に弱いＨＤＤに対し有用となる。また、上述した実施形態では、テレビジョン装置を例示したが、スピーカを備えたあらゆる電子機器に本発明の構成を適用することができる。
【符号の説明】
【００３５】
１…テレビジョン装置（電子機器）、３…テレビ本体部（機器本体部）、３ｃ，３ｄ…スピーカ出力端子、３ｇ，３ｈ…外部スピーカ出力端子、５…スピーカボックス（スピーカユニット）、５ａ，５ｂ…配線、５ｃ，５ｄ…スピーカ入力端子、７…連結部材、８…スピーカボックス装着機構、１１，１２…金属ステー（補強部材）。
【図１】
0005404253.tif 000002
【図２】
0005404253.tif 000003
【図３】
0005404253.tif 000004
【図４】
0005404253.tif 000005
【図５】
0005404253.tif 000006
【図６】
0005404253.tif 000007